(57)【特許請求の範囲】
【請求項１】
交通網を交通路に分けたデータおよび複数の交通路を連ねて形成した基本ルートのデータを予め記憶し、各交通路の損傷の程度を示すダメージデータを用いて前記基本ルートを補正した補正ルートを作成する支援装置であって、
各交通路の損傷の程度を示すダメージデータを入力する入力部と、
前記入力部にて入力した前記ダメージデータを用いて、各交通路の通行を制限するかどうかを判断する判断部と、
前記基本ルートを形成する一部の交通路に対して、前記判断部が通行を制限すると判断した場合、この通行を制限すると判断した前記基本ルートを形成する交通路を、前記判断部が通行を制限しないと判断した別の交通路で迂回する迂回ルートを作成する迂回ルート作成部と、
前記基本ルートにおいて、前記判断部が通行を制限すると判断した交通路を、前記迂回ルート作成部が作成した迂回ルートに置き換えたルートを補正ルートとして作成する補正ルート作成部と、
前記補正ルート作成部が作成した前記補正ルートを出力する出力部と、
前記入力部に入力された前記ダメージデータから得た各交通路のダメージレベルを、交通網にかかるマップ上に対応付けた支援マップを作成する支援マップ作成部と、
前記支援マップ作成部によって作成された前記支援マップを基に、予め定めた特定の地点からのルートが、通行を制限しないと判断された交通路によって作成できない地域を抽出する孤立地域抽出部と、を備え、
前記迂回ルート作成部は、前記基本ルートを形成する交通路の中で、通行を制限すると判断された交通路が２つ以上連続している区間については、当該区間を１つの交通路とみなして、迂回ルートを作成する、支援装置。
【請求項２】
前記出力部は、前記支援マップ作成部が作成した支援マップを出力する、請求項１に記載の支援装置。
【請求項３】
前記入力部は、交通路の損傷の程度を示す前記ダメージデータとして第１のダメージデータを入力するモニタリング装置の接続が可能であり、
前記モニタリング装置は、交通路の状態を診断し、その診断結果を前記第１のダメージデータとして前記入力部に入力する、請求項１、または２に記載の支援装置。
【請求項４】
前記入力部は、交通路の損傷の程度を示す前記ダメージデータとして、前記第１のダメージデータに加えて、第２のダメージデータを入力し、
前記補正ルート作成部は、前記第２のダメージデータを前記第１のダメージデータよりも優先して使用する、請求項３に記載の支援装置。
【請求項５】
指定された２つの地点を結ぶ移動ルートを、前記入力部に入力された前記ダメージデータを用いて作成する移動ルート作成部を備えている、請求項１〜４のいずれかに記載の支援装置。
【請求項６】
交通網を交通路に分けたデータおよび複数の交通路を連ねて形成した基本ルートのデータを予め記憶部に記憶しておき、各交通路の損傷の程度を示すダメージデータを用いて前記基本ルートを補正した補正ルートを作成する支援方法であって、
各交通路の損傷の程度を示すダメージデータを入力部に入力する第１のステップと、
前記入力部にて入力した前記ダメージデータを用いて、各交通路の通行を制限するかどうかを判断する第２のステップと、
前記基本ルートを形成する一部の交通路に対して、前記第２のステップで通行を制限すると判断した場合、この通行を制限すると判断した前記基本ルートを形成する交通路を、前記第２のステップ通行を制限しないと判断した別の交通路で迂回する迂回ルートを作成する第３のステップと、
前記基本ルートにおいて、前記第２のステップで通行を制限すると判断した交通路を、前記第３のステップで作成した迂回ルートに置き換えたルートを補正ルートとして作成する第４のステップと、
前記第４のステップで作成した前記補正ルートを出力部から出力する第５のステップと、
前記入力部に入力された前記ダメージデータから得た各交通路のダメージレベルを、交通網にかかるマップ上に対応付けた支援マップを作成する第６のステップと、
前記第６のステップで作成された前記支援マップを基に、予め定めた特定の地点からのルートが、通行を制限しないと判断された交通路によって作成できない地域を抽出する第７のステップと、を備え、
前記第４のステップは、前記基本ルートを形成する交通路の中で、通行を制限すると判断された交通路が２つ以上連続している区間については、当該区間を１つの交通路とみなして、迂回ルートを作成するステップである、支援方法。
【請求項７】
交通網を交通路に分けたデータおよび複数の交通路を連ねて形成した基本ルートのデータを予め記憶部に記憶しておき、各交通路の損傷の程度を示すダメージデータを用いて前記基本ルートを補正した補正ルートを作成する処理をコンピュータに実行させる支援プログラムであって、
各交通路の損傷の程度を示すダメージデータを入力部に入力する第１のステップと、
前記入力部にて入力した前記ダメージデータを用いて、各交通路の通行を制限するかどうかを判断する第２のステップと、
前記基本ルートを形成する一部の交通路に対して、前記第２のステップで通行を制限すると判断した場合、この通行を制限すると判断した前記基本ルートを形成する交通路を、前記第２のステップ通行を制限しないと判断した別の交通路で迂回する迂回ルートを作成する第３のステップと、
前記基本ルートにおいて、前記第２のステップで通行を制限すると判断した交通路を、前記第３のステップで作成した迂回ルートに置き換えたルートを補正ルートとして作成する第４のステップと、
前記第４のステップで作成した前記補正ルートを出力部から出力する第５のステップと、
前記入力部に入力された前記ダメージデータから得た各交通路のダメージレベルを、交通網にかかるマップ上に対応付けた支援マップを作成する第６のステップと、
前記第６のステップで作成された前記支援マップを基に、予め定めた特定の地点からのルートが、通行を制限しないと判断された交通路によって作成できない地域を抽出する第７のステップと、をコンピュータに実行させ、
前記第４のステップは、前記基本ルートを形成する交通路の中で、通行を制限すると判断された交通路が２つ以上連続している区間については、当該区間を１つの交通路とみなして、迂回ルートを作成するステップである、支援プログラム。
【発明の詳細な説明】
【技術分野】
【０００１】
この発明は、地震や台風等の自然災害の発生時における負傷者の救助や、被災者等に対する物資の提供、損傷した交通網の復旧作業等を支援する技術に関する。
【背景技術】
【０００２】
従来、橋梁、トンネル、ビル等の様々な種類の構造物の状態を様々な種類のセンサ（温度センサ、湿度センサ、加速度センサ、変位センサ、赤外線イメージセンサ等）を用いて診断することが行われている（例えば、特許文献１、２参照）。
【０００３】
また、構造物にかかる過去の点検データを用いて、自然災害が発生した場合における損傷の程度を推定するものもある（例えば、特許文献３、４参照）。
【０００４】
ところで、地震や台風等の自然災害によって構造物の損傷、倒壊や、土砂崩れ等が発生すると、負傷者の救助や、被災者等に対する物資（水、食料、医薬品等）の提供等を迅速に行わなければならない。このためには、緊急車両（消防車や救急車等）や、輸送車両（被災者に提供する物資や被災地の復旧に使用する機材等を輸送する車両）が走行可能である走行ルートを確認し、これらの走行ルートを迅速に決める必要がある。
【０００５】
自治体は、自然災害に対して迅速に対応するため、予め緊急輸送道路を設定している。多くの自治体は、緊急輸送道路として、一次ルート、二次ルート、および三次ルートの３つのルートを設定している。
【０００６】
一次ルートは、広域的な輸送に必要な主要幹線道路（高速道路、一般国道、およびこれらを連絡する幹線的な道路）からなる、輸送の骨格をなすルートであり、
二次ルートは、自治体の役場や災害対策本部等の重要な拠点になる施設と、一次ルートにかかる道路と、を結ぶルートであり、
三次ルートは、上記以外の重要な拠点と、一次ルートや二次ルートにかかる道路と、を結ぶルートである。
【０００７】
自然災害が発生すると、予め設定している上述の一次ルート、二次ルート、および三次ルートにかかる道路の一部が損傷し、車両が走行できない箇所が生じることがある。したがって、自然災害が発生すると、
（１）交通網を形成する各道路の状態を迅速に把握し、
（２）予め設定している上述の一次ルート、二次ルート、および三次ルートにかかる道路に車両が走行できない箇所が生じているかどうかを確認し、
（３）予め設定している上述の一次ルート、二次ルート、および三次ルートにかかる道路に車両が走行できない箇所が生じている場合、その箇所を迂回するルートを検索し、
（４）上述の一次ルート、二次ルート、および三次ルートそれぞれについて、（３）で検索した迂回ルートを利用した補正ルートを作成しなければならない。
【先行技術文献】
【特許文献】
【０００８】
【特許文献１】特開２００６−１７０８６１号公報
【特許文献２】特開２００３−２２２５６６号公報
【特許文献３】特開２００８−２５７２９９号公報
【特許文献４】特開２００４−２０５４６７号公報
【発明の概要】
【発明が解決しようとする課題】
【０００９】
しかしながら、上述の特許文献１〜４に記載されている技術は、構造物の状態を診断するだけであり、上述した補正ルートの作成を支援するものではなかった。
【００１０】
この発明の目的は、交通網を形成する交通路毎に、その交通路の損傷の程度を示すダメージデータを用いて、予め決められた基本ルートを補正した補正ルートを迅速に作成する技術を提供することにある。
【課題を解決するための手段】
【００１１】
この発明の支援装置は、上記目的を達するために以下のように構成している。
【００１２】
この支援装置は、交通網を交通路に分けたデータおよび複数の交通路を連ねて形成した基本ルートのデータを予め記憶し、各交通路の損傷の程度を示すダメージデータを用いて基本ルートを補正した補正ルートを作成する。交通網は、複数の道路によって形成される。交通路とは、交通網を形成する道路を細分化したものであり、２地点を結ぶ区間の道路、高速道路のインタチェンジ（ＩＣ）やジャンクション（ＪＣＴ）にかかる地点、橋梁やトンネル等の構造物等である。
【００１３】
入力部は、各交通路の損傷の程度を示すダメージデータを入力する。判断部は、入力部にて入力したダメージデータを用いて、各交通路の通行を制限するかどうかを判断する。迂回ルート作成部は、基本ルートを形成する一部の交通路に対して、判断部が通行を制限すると判断した場合、この通行を制限すると判断した基本ルートを形成する交通路を、判断部が通行を制限しないと判断した別の交通路で迂回する迂回ルートを作成する。また、迂回ルート作成部は、基本ルートを形成する交通路の中で、通行を制限すると判断された交通路が２つ以上連続している区間については、当該区間を１つの交通路とみなして、迂回ルートを作成する。迂回ルートは、判断部が通行を制限すると判断した交通路によって結ばれる２地点を、１または複数の別の交通路の組み合わせによって結ぶルートである。
【００１４】
そして、補正ルート作成部は、基本ルートにおいて、判断部が通行を制限すると判断した一部の交通路を、迂回ルート作成部が作成した迂回ルートに置き換えたルートを補正ルートとして作成する。すなわち、補正ルートは、基本ルートにおいて、判断部が通行を制限すると判断しなかった交通路と、判断部が通行を制限すると判断した一部の交通路に対して迂回ルート作成部が作成した迂回ルートと、によって形成されるルートであり、判断部が通行を制限すると判断した交通路を含まないルートである。
【００１５】
さらに、出力部は、補正ルート作成部が作成した前記補正ルートを出力する。
【００１６】
例えば、入力部は、交通路の損傷の程度を示すダメージデータとして第１のダメージデータを入力するモニタリング装置の接続が可能である。このモニタリング装置は、交通路の状態を診断し、その診断結果を第１のダメージデータとして入力部に入力する装置であり、上述した特許文献１〜４等に開示された技術によって構成されている。
【００１７】
また、入力部は、交通路の損傷の程度を示すダメージデータとして、第１のダメージデータに加えて、作業員等が目視確認によって交通路の損傷の程度を判断した第２のダメージデータを入力する構成としてもよい。この場合、第２のダメージデータは、第１のダメージデータよりも信頼性の高いデータとして用いるのがよい。例えば、補正ルート作成部は、第２のダメージデータを第１のダメージデータよりも優先して使用する構成にするのが好ましい。
【００１８】
これにより、交通網を形成する交通路毎に、その交通路の損傷の程度を示すダメージデータを用いて、予め決められた基本ルートを補正した補正ルートを迅速に作成することができる。
【００１９】
また、支援装置は、入力部に入力されたダメージデータから得た各交通路のダメージレベルを、交通網にかかるマップ上に対応付けた支援マップを作成する支援マップ作成部を備え、支援マップ作成部が作成した支援マップを出力部から出力する構成にしてもよい。
【００２０】
これにより、交通網における、各交通路の損傷の程度が容易に確認でき、交通路の復旧にかかる作業工程の立案等を支援することができる。
また、支援装置は、入力部に入力されたダメージデータから得た各交通路のダメージレベルを、交通網にかかるマップ上に対応付けた支援マップを作成する支援マップ作成部と、この支援マップ作成部によって作成された支援マップを基に、予め定めた特定の地点からのルートが、通行を制限しないと判断された交通路によって作成できない地域を抽出する孤立地域抽出部と、を備える。したがって、孤立している地域を簡単に確認できるので、孤立している地域の住人等に対する救助が迅速に行えるようになる。
【００２１】
さらに、支援装置は、指定された２つの地点を結ぶ移動ルートを、入力部に入力されたダメージデータを用いて作成する移動ルート作成部を備える構成にしてもよい。
【００２２】
また、この発明にかかる支援方法は、上述の支援装置において実行され、この発明にかかる支援プログラムは、上述の支援装置が備えるコンピュータに実行させるものである。
【発明の効果】
【００２３】
この発明によれば、自然災害の発生時等において、交通網を形成する交通路毎に、その交通路の損傷の程度を示すダメージデータを用いて、予め決められた基本ルートを補正した補正ルートを迅速に作成することができる。
【図面の簡単な説明】
【００２４】
【図１】災害支援システムを示す概略のブロック図である。
【図２】支援装置の主要部の構成を示すブロック図である。
【図３】支援装置の動作を示すフローチャートである。
【図４】補正ルートの作成処理を説明する図である。
【図５】支援マップを示す図である。
【発明を実施するための形態】
【００２５】
以下、この発明の実施形態について説明する。
【００２６】
図１は、この発明の実施形態である支援装置を用いた災害支援システムを示す概略のブロック図である。この例にかかる災害支援システムは、支援装置１、モニタリング装置２、および交通管制センタ３を備える。
【００２７】
モニタリング装置２は、上述した特許文献１〜４等に記載された公知技術を利用し、交通網を形成する交通路（高架道路橋、トンネル、一般道路等）の状態を様々な種類のセンサ（温度センサ、湿度センサ、加速度センサ、変位センサ、赤外線イメージセンサ等）を用いて診断し、その診断結果を出力するものである。交通網は、複数の道路によって形成される。ここで言う交通路とは、交通網を形成する道路を細分化したものである。すなわち、道路は、複数の交通路によって形成され、交通網は複数の道路によって構成される。
【００２８】
交通管制センタ３は、交差点に設置されている信号機の現示表示や、道路状況にかかる案内情報（渋滞情報、通行止めにかかる情報等）を、道路に設置されている案内板等に表示する。この交通管制センタ３は、既存の設備である。
【００２９】
この例にかかる支援装置１は、交通網を形成する交通路毎に、その交通路の損傷の程度を示す第１のダメージデータが入力される。モニタリング装置２が、各交通路の損傷の程度を診断し、その診断結果を第１のダメージデータとして支援装置１に入力する。第１のダメージデータは、交通路を識別する交通路コード（所謂、識別コード）に、その交通路について診断した損傷の程度を示すダメージレベルを対応付けたデータである。支援装置１と、モニタリング装置２とは、有線で接続される構成であってもよいし、無線で接続される構成であってもよいし、さらには、インタネットを介して接続される構成であってもよい。
【００３０】
支援装置１は、モニタリング装置２から入力された第１のダメージデータを用いて、予め決められているルート（以下、基本ルートと言う。）を補正する。この例では、基本ルートは、以下に示す３つである。
（１）広域的な輸送に必要な主要幹線道路（高速道路、一般国道、およびこれらを連絡する幹線的な道路）からなる、輸送の骨格をなすルート
（２）自治体の役場や災害対策本部等の重要な拠点と、（１）のルートにかかる道路と、を結ぶルート
（３）上記以外の重要な拠点と、（１）のルートや（２）のルートにかかる道路と、を結ぶルートである。
【００３１】
これら（１）、（２）、および（３）にかかるルートは、地震や台風等の自然災害によって構造物の損傷、倒壊や、土砂崩れ等が発生した場合に、負傷者の救助や、被災者等に対する物資（水、食料、医薬品等）の提供等を迅速に行うために自治体等が予め設定している緊急輸送道路である。（１）にかかるルートが一般に一次ルートと呼ばれ、（２）にかかるルートが二次ルートと呼ばれ、（３）にかかるルートが三次ルートと呼ばれる。上述した（１）、（２）、および（３）にかかる基本ルートは、複数の交通路を連ねて形成したルートである。
【００３２】
補正ルートは、各基本ルートについて、その基本ルートにかかる道路に車両が走行できない箇所が生じている場合、その箇所を迂回する迂回路を作成し、作成した迂回路を用いて再構成したルートである。この例では、車両が走行できない箇所が生じている交通路が、この発明で言う判断部が車両の通行を制限すると判断する交通路である。また、この迂回路が、この発明で言う迂回ルートに相当する。
【００３３】
なお、基本ルートにかかる道路に車両が走行できない箇所が生じていない場合は、基本ルートが補正ルートになる。すなわち、支援装置１は、基本ルートに対する迂回路の作成等を行わず、補正ルートの作成にかかる処理も行わない。
【００３４】
また、支援装置１は、補正ルート、および各交通路のダメージレベルを対応付けた支援マップを作成する。また、この支援マップは、交通管制センタ３等に出力する。
【００３５】
交通管制センタ３は、支援装置１から入力された支援マップを用いて、通行止め等にかかる案内情報を、道路に設置している案内板等に表示する。これにより、通行止め等の道路状況を走行車両のドライバ等に通知する。
【００３６】
図２は、支援装置の主要部の構成を示すブロック図である。支援装置１は、制御部１１と、操作部１２と、表示部１３と、通信部１４と、交通網データベース１５（交通網ＤＢ１５）と、交通路データベース１６（交通路ＤＢ１６）と、ダメージレベルデータベース１７（ダメージレベルＤＢ１７）と、点検データデータベース１８（点検データＤＢ１８）と、を備えている。
【００３７】
制御部１１は、支援装置１本体の動作を制御する。
【００３８】
操作部１２には、キーボードやマウス等の入力デバイスが接続されている。操作部１２は、オペレータによる入力デバイスの操作に応じて、支援装置１本体に対する入力を受け付ける。
【００３９】
表示部１３には、液晶ディスプレイ等の表示デバイスが接続されている。表示部１３は、接続されている表示デバイスにおける画面表示を制御する。
【００４０】
通信部１４は、モニタリング装置２、および交通管制センタ３等との間における通信を制御する。通信部１４は、モニタリング装置２、および交通管制センタ３との通信を無線による通信で行ってもよいし、有線による通信で行ってもよい。また、インタネット等のネットワークを介した通信で行ってもよい。通信部１４が、この発明で言う入力部、および出力部にかかる構成を備える。また、操作部１２は、この発明で言う入力部にかかる構成を備える。さらに、表示部１３は、この発明で言う出力部にかかる構成を備える。
【００４１】
交通網ＤＢ１５は、交通網にかかる地図データを記憶するデータベースである。
【００４２】
交通路ＤＢ１６は、交通網を構成する交通路毎に、その交通路を識別する識別コードと、その交通路の位置を示す位置情報とを対応付けた区間データを記憶するデータベースである。ここで言う交通路は、交通網上における２地点を結ぶ区間、高速道路のインタチェンジ（ＩＣ）やジャンクション（ＪＣＴ）にかかる地点、橋梁やトンネル等の構造物等である。
【００４３】
ダメージレベルＤＢ１７は、交通網を構成する交通路毎に、その交通路を識別する交通路コードと、その交通路の損傷の度合いを示すダメージレベルとを対応付けた第１のダメージデータを記憶するデータベースである。第１のダメージデータは、上述したように、モニタリング装置２から支援装置１に入力される。
【００４４】
点検データＤＢ１８は、交通網を構成する交通路毎に、その交通路を識別する識別コードと、その交通路の損傷の度合いを示すダメージレベルとを対応付けた第２のダメージデータを記憶するデータベースである。第２のダメージデータは、オペレータが操作部１２に接続されている入力デバイスを操作して入力する構成であってもよいし、有線や無線で支援装置１に接続したスマートフォンやタブレット等の携帯端末（不図示）を操作して入力する構成であってもよい。
【００４５】
なお、交通網ＤＢ１５、交通路ＤＢ１６、ダメージレベルＤＢ１７、および点検データＤＢ１８は、２つ以上のデータベースを１つに纏めてもよいし、いずれかのデータベースを、複数のデータベースに分割して構成してもよい。
【００４６】
また、支援装置１は、上述した基本ルート（一次ルート、二次ルート、および三次ルート）を記憶する記憶部（不図示）を備えている。支援装置１は、交通網ＤＢ１５、交通路ＤＢ１６、ダメージレベルＤＢ１７、および点検データＤＢ１８に記憶されているデータを用いて、記憶している基本ルート（一次ルート、二次ルート、および三次ルート）を補正した補正ルートを作成する。また、支援装置１は、各交通路のダメージレベルを、交通網にかかるマップ上に対応付けた支援マップを作成する。支援装置１は、作成した補正ルートや支援マップを交通管制センタ３等に出力するとともに、表示部１３に接続された表示デバイスに表示する。
【００４７】
以下、この例にかかる支援装置１の動作について説明する。
【００４８】
この災害支援システムは、上述したように、地震や台風等による自然災害が発生したときに、発生した自然災害の対応としての負傷者の救助や、被災者等に対する物資の提供等が迅速に行えるようにサポートするものである。すなわち、この災害支援システムは、自然災害が発生したときに起動させるものである。
【００４９】
モニタリング装置２は、自然災害の発生に関わらず、交通網を形成する交通路（高架道路橋、トンネル、一般道路等）の状態を診断している。モニタリング装置２は、公知のように、交通路の状態にかかる物理量（加速度、変位量、歪み、振動周波数、温度、湿度、圧力、赤外線量、音量、照度、風速等）を様々なセンサでセンシングし、これらのセンシングデータを収集し、分析することによって交通路の状態を診断する。モニタリング装置２が交通路を診断する手法については、上述した特許文献１〜４等で、すでにいくつか提案されている。この例にかかる災害支援システムは、モニタリング装置２が交通路の状態を診断する手法を規定するものではない。但し、この例にかかるモニタリング装置２は、交通路の損傷の程度を、ダメージレベル０、ダメージレベル１、ダメージレベル２、ダメージレベル３の４段階で診断する。
【００５０】
ダメージレベル０は、損傷の程度が低く、車両の通行に支障がないレベルであり、
ダメージレベル１は、車両の走行に直接的な影響を与えないガードレール等の部材が損傷しているものの、車両の走行に直接的な影響を与える路面、橋脚等の部材の損傷の程度が比較的低いレベルであり、
ダメージレベル２は、車両の走行に直接的な影響を与える路面、橋脚等の部材の損傷の程度が比較的高く、車両の走行に危険をともなうレベルであり、
ダメージレベル３は、路面の陥没や、橋脚の崩壊等が生じ、車両の走行が不可能であるレベルである。
【００５１】
なお、モニタリング装置２が交通路の損傷の程度を診断するダメージレベルは、この例で示している４段階に限らず何段階であってもよい。
【００５２】
図３は、支援装置の動作を示すフローチャートである。支援装置１は、例えば、震度５以上の地震が発生したときや、台風や大雨による土砂崩れ等の自然災害の発生を受けて、図３に示す処理を開始する。支援装置１は、例えば緊急地震速報を受信し、震度５以上の地震が発生したことを検知すると、図３に示す処理を開始する構成であってもよいし、オペレータが操作部１２を操作して図３に示す処理の開始にかかる入力操作を行ったときに、図３に示す処理を開始する構成であってもよい。
【００５３】
支援装置１は、通信部１４において、各交通路の状態を診断した第１のダメージデータの送信をモニタリング装置２に要求する（ｓ１）。
【００５４】
モニタリング装置２は、交通網を構成する交通路毎に、その交通路に設けている各種センサでセンシングしたセンシングデータを収集し、その交通路の状態を診断している。モニタリング装置２は、この診断において、交通路のダメージレベルを判断している。モニタリング装置２は、交通網を構成する交通路毎に、その交通路を識別する交通路コードと、その交通路について診断したダメージレベルとを対応付けた第１のダメージデータを作成する。モニタリング装置２は、作成した第１のダメージデータを支援装置１に送信する。
【００５５】
モニタリング装置２は、各交通路について、損傷の程度を診断した第１のダメージデータを一括して支援装置１に送信する構成であってもよいし、診断を完了した交通路から順番に、その交通路にかかる第１のダメージデータを支援装置１に送信する構成であってもよい。
【００５６】
支援装置１は、モニタリング装置２から受信した各交通路の第１のダメージデータをダメージレベルＤＢ１７に登録する（ｓ２）。
【００５７】
支援装置１は、記憶している基本ルートについて、補正ルートを作成する補正ルート作成処理を行う（ｓ３）。また、支援装置１は、交通網にかかるマップ上に、各交通路のダメージレベルを対応付けた支援マップを作成する（ｓ４）。ｓ３、およびｓ４の処理の順番は、前後してもよいし、並行して実行してもよい。
【００５８】
ｓ３では、支援装置１は、図示していない記憶部に記憶している基本ルート（一次ルート、二次ルート、および三次ルート）にかかる補正ルートを作成する。ここでは、一次ルートにかかる補正ルートを作成する処理を例にして説明する。支援装置１は、一次ルートを構成する交通路毎に、ダメージレベルＤＢ１７に登録されているダメージレベルを読み出す。支援装置１は、一次ルートを構成する交通路の中に、ダメージレベル２、またはダメージレベル３の交通路があるかどうか判断する。この判断を行う構成が、この発明で言う判断部に相当する構成であり、この例では、制御部１１がこの判断を行う。すなわち、制御部１１が、この発明で言う判断部にかかる構成を備えている。また、この例では、ダメージレベル２、またはダメージレベル３の交通路は、補正ルートに使用しないと判断する交通路（この発明で言う判断部が車両の通行を制限すると判断する交通路）である。また、ダメージレベル０、またはダメージレベル１の交通路は、補正ルートに使用してもよいと判断する交通路（この発明で言う判断部が車両の通行を制限しないと判断する交通路）である。
【００５９】
なお、補正ルートに使用しないと判断する交通路のダメージレベルについては、事前に設定しておいてもよいし、この補正ルートの作成にかかる処理を行うときに、オペレータが操作部１２を操作して入力するようにしてもよい。
【００６０】
支援装置１は、一次ルートを構成する交通路の中に、ダメージレベル２、またはダメージレベル３の交通路が無ければ、すなわち各交通路がダメージレベル０、またはダメージレベル１であれば、一次ルートを補正ルートにする。すなわち、この場合に作成される補正ルートは、記憶している一次ルートである。
【００６１】
一方、支援装置１は、一次ルートを構成する交通路の中に、ダメージレベル２、またはダメージレベル３の交通路があると、交通網ＤＢ１５を検索し、一次ルートを構成するダメージレベル２、またはダメージレベル３の交通路毎に、ダメージレベル０、またはダメージレベル１である交通路によって構成される迂回路を作成する。この迂回路を作成する構成が、この発明で言う迂回ルート作成部に相当する構成であり、この例では、制御部１１がこの迂回路を作成する処理を行う。すなわち、制御部１１が、この発明で言う迂回ルート作成部にかかる構成を備えている。このとき、支援装置１は、ダメージレベル２、またはダメージレベル３の交通路が連続している区間については、これらの交通路を１つの交通路とみなして、迂回路を作成する。
【００６２】
例えば、支援装置１は、交通網を構成する各交通路について補正ルートに使用してもよいかどうかを判断し、補正ルートに使用してもよいと判断した交通路のみを用いて、一次ルートを構成するダメージレベル２、またはダメージレベル３の交通路に対する迂回路を作成する。
【００６３】
また、支援装置１における一次ルートを構成するダメージレベル２、またはダメージレベル３の交通路に対する迂回路の作成は、以下の処理にしてもよい。
【００６４】
支援装置１は、一次ルートを構成するダメージレベル２、またはダメージレベル３の交通路に対する迂回路を別の交通路で作成し、ここで作成した迂回路を構成する各交通路について補正ルートに使用してもよいかどうかを判断する。そして、支援装置１は、作成した迂回路に補正ルートに使用しないと判断した交通路が含まれていなければ、すなわち作成した迂回路を構成する全ての交通路が補正ルートに使用してもよいと判断した交通路であれば、この迂回路を補正ルートに使用する迂回路に決定する。
【００６５】
一方、支援装置１は、作成した迂回路に補正ルートに使用しないと判断した交通路が含まれていれば、別の迂回路を作成し、作成した迂回路を構成する各交通路について補正ルートに使用してもよいかどうかを判断する処理を繰り返す。すなわち、支援装置１は、一次ルートを構成するダメージレベル２、またはダメージレベル３の交通路に対して、補正ルートに使用しないと判断した交通路が含まれていない迂回路が作成できるまで、別の迂回路の作成を繰り返す。この処理では、支援装置１は、総距離が短くなる順番に迂回路を作成し、作成した迂回路を構成する各交通路について補正ルートに使用してもよいかどうかを判断すればよい。
【００６６】
なお、一次ルートを構成するダメージレベル２、またはダメージレベル３の交通路に対する迂回路の作成は、上記した例に限らず、他の手順で作成してもよい。
【００６７】
支援装置１は、一次ルートを構成するダメージレベル０、またはダメージレベル１である交通路と、上述した処理で作成した迂回路とによって構成されるルートを補正ルートとして作成する。この補正ルートを作成する構成が、この発明で言う補正ルート作成部に相当する構成であり、この例では、制御部１１がこの補正ルートを作成する処理を行う。すなわち、制御部１１が、この発明で言う補正ルート作成部にかかる構成を備えている。
【００６８】
例えば、図４（Ａ）に示すように、一次ルートを構成する交通路の中に、ダメージレベル２、またはダメージレベル３の交通路がない場合、一次ルートが補正ルートになる。図４に示す例では、交通路ａ、交通路ｂ、・・・、交通路ｉ、交通路ｊをこの順に結ぶルートが一次ルートである。
【００６９】
一方、また、図４（Ｂ）に示すように、一次ルートを構成する交通路の中に、ダメージレベル２、またはダメージレベル３の交通路がある場合（図４（Ｂ）に示す例では、破線で示す交通路ｄ、交通路ｇ、交通路ｈが、ダメージレベル２、またはダメージレベル３である。）、支援装置１は、交通路ｄを迂回する迂回路Ａ、および連続する交通路ｇ、および交通路ｈを迂回する迂回路Ｂを作成し、これらの迂回路Ａ、および迂回路Ｂを用いて、補正ルートを作成する。図４（Ｂ）から明らかなように、補正ルートは、一次ルートにおいて、交通路ｄを上述した処理で作成した迂回路Ａに置き換え、且つ交通路ｇおよび交通路ｈを上述した処理で作成した迂回路Ｂに置き換えたルートである。
【００７０】
なお、支援装置１は、ダメージレベル２、またはダメージレベル３の交通路が連続している区間についても、交通路毎に迂回路を作成する構成であってもよい。
【００７１】
支援装置１は、迂回路を作成するとき、交通網ＤＢ１５、および交通路ＤＢ１６を参照する。
【００７２】
また、支援装置１は、一次ルートを構成するダメージレベル２の交通路について、ダメージレベル０、またはダメージレベル１である交通路によって迂回路が作成できないときには、ダメージレベル０、ダメージレベル１、およびダメージレベル２である交通路を用いて作成した迂回路を用いて補正ルートを作成してもよいし、一次ルートを構成する当該ダメージレベル２の交通路を用いて補正ルートを作成してもよい。
【００７３】
また、支援装置１は、一次ルートを構成するダメージレベル３の交通路について、ダメージレベル０、またはダメージレベル１である交通路によって迂回路が作成できないときには、ダメージレベル０、ダメージレベル１、およびダメージレベル２である交通路を用いて作成した迂回路を用いて補正ルートを作成すればよい。支援装置１は、一次ルートを構成するダメージレベル３の交通路について、ダメージレベル０、ダメージレベル１、およびダメージレベル２である交通路によって迂回路が作成できないときには、補正ルートが作成できない旨を出力する。
【００７４】
また、支援装置１は、ダメージレベル２である交通路が作成された補正ルートに含まれる場合、このダメージレベル２である交通路を早期に復旧すべき交通路として出力する構成にするのがよい。
【００７５】
また、ｓ４では、図５に示す支援マップを作成する。この支援マップを作成する構成が、この発明で言う支援マップ作成部に相当する構成であり、この例では、制御部１１がこの支援マップを作成する処理を行う。すなわち、制御部１１が、この発明で言う支援マップ作成部にかかる構成を備えている。図５に示すように、支援マップは、交通網を形成する各交通路を、その交通路のダメージレベルに応じて表記したものである。
【００７６】
支援装置１は、ｓ３で作成した補正ルートや、ｓ４で作成した支援マップを表示部１３に接続されている表示デバイスに表示するとともに、通信部１４から交通管制センタ３に出力する（ｓ５）。
【００７７】
したがって、支援装置１は、自然災害の発生時に、緊急車両（消防車や救急車等）や、輸送車両（被災者に提供する物資や被災地の復旧に使用する機材等を輸送する車両）が走行可能である走行ルート（補正ルート）を迅速に作成することができる。したがって、地震や台風等の自然災害による負傷者の救助や、被災者等に対する物資（水、食料、医薬品等）の提供等を迅速に行える。
【００７８】
また、表示部１３に接続されている表示デバイスに表示された支援マップにより、発生した自然災害による被害の確認が容易に行えるので、各交通路の復旧にかかる作業計画の策定が迅速かつ適正に行える。例えば、表示部１３に接続されている表示デバイスに表示された支援マップから各交通路のダメージレベルが確認できるので、復旧作業にかかる人手や基材等を考慮し、ダメージレベル２の交通路、ダメージレベル１の交通路、ダメージレベル０の交通路、ダメージレベル３の交通路の順番に復旧作業を行う作業計画の策定が迅速かつ適正に行える。
【００７９】
なお、復旧作業を行う順番は、上記の順番に限らず、どのような順番であってもよいし、その判断はダメージレベルだけでなく、他の要素（例えば、一次ルート、二次ルート、三次ルートにかかる交通路であるかどうか）も加味して行ってもよい。
【００８０】
上記の例では、モニタリング装置２から送信されてきた第１のダメージデータによって、補正ルート、および支援マップを作成するとしたが、第１のダメージデータと、作業員等が現地で損傷の程度を目視等で確認した第２のダメージレベルとを用いて、上述した補正ルートや支援マップを作成してもよい。
【００８１】
例えば、作業員が、上述した例で作成された支援マップを参照する等して、現地（目視確認を行う交通路）に赴き、その交通路の損傷の程度を目視により確認する。そして、オペレータが、操作部１２を操作して、作業員が目視確認した交通路毎に、その交通路について作業員が判断した交通路のダメージレベルを第２のダメージデータとして入力する。支援装置１は、入力された第２のダメージデータを点検データＤＢ１８に登録する。
【００８２】
また、作業員は、現地でスマートフォンやタブレット等の携帯端末を支援装置１に接続し、支援装置１から目視確認を行う交通路について、モニタリング装置２において診断されたダメージレベルを取得できるように構成してもよい。この場合、作業員は、携帯端末を操作して、目視確認により判断したダメージレベルを第２のダメージデータとして支援装置１に送信（入力）できるようにしてもよい。支援装置１は、携帯端末から送信されてきた第２のダメージデータを通信部１４で受信すると、それを点検データＤＢ１８に登録する。
【００８３】
また、作業員を現地に派遣するのではなく、定点カメラや、撮像装置を搭載したラジコンヘリ等によって、交通路を撮像した撮像画像を見て、その交通路の損傷の程度を判断した第２のダメージデータを支援装置１に入力するようにしてもよい。この場合、その付近で発生している火災等を考慮して、ダメージレベルを判断してもよい。
【００８４】
支援装置１は、いずれかの交通路にかかる第２のダメージデータが点検データＤＢ１８に登録されている場合、ｓ３の補正ルートの作成においては、点検データＤＢ１８に第２のダメージデータが登録されている交通路については、点検データＤＢ１８に登録されている第２のダメージデータを用い、点検データＤＢ１８に第２のダメージデータが登録されていない交通路については、ダメージレベルＤＢ１７に登録されている第１のダメージデータを用いて、補正ルート、および支援マップを作成する。すなわち、点検データＤＢ１８に登録されている第２のダメージデータが、ダメージレベルＤＢ１７に登録されている第１のダメージデータよりも信頼度が高いデータ（優先度が高いデータ）として、補正ルートを作成する。
【００８５】
また、ｓ３の支援マップの作成においても、点検データＤＢ１８に第２のダメージデータが登録されている交通路については、点検データＤＢ１８に登録されている第２のダメージデータを用い、点検データＤＢ１８に第２のダメージデータが登録されていない交通路については、ダメージレベルＤＢ１７に登録されている第１のダメージデータを用いて、補正ルート、および支援マップを作成する。すなわち、点検データＤＢ１８に登録されている第２のダメージデータが、ダメージレベルＤＢ１７に登録されている第１のダメージデータよりも信頼度が高いデータ（優先度が高いデータ）として、支援マップを作成する。
【００８６】
なお、上記の説明では、支援装置１は、点検データＤＢ１８に登録されている第２のダメージデータが、ダメージレベルＤＢ１７に登録されている第１のダメージデータよりも信頼度が高いデータ（優先度が高いデータ）として、補正ルートの作成や、支援マップの作成に用いるとしたが、交通路毎に、その交通路のダメージレベルを、ダメージレベルＤＢ１７に登録されている第１のダメージデータと、点検データＤＢ１８に登録されている第２のダメージデータと、を用いて決めるようにしてもよい。例えば、支援装置１は、交通路毎に、第１のダメージデータのほうが第２のダメージデータよりもダメージレベルが大きければ、第１のダメージデータを用い、反対に、第２のダメージデータのほうが第１のダメージデータよりもダメージレベルが大きければ、第２のダメージデータを用いて、補正ルートの作成や、支援マップの作成を行う構成としてもよい。ダメージレベルの大小関係は、ダメージレベル０＜ダメージレベル１＜ダメージレベル２＜ダメージレベル３である。
【００８７】
また、支援装置１は、ダメージレベルＤＢ１７に登録されている第１のダメージデータが、点検データＤＢ１８に登録されている第２のダメージデータよりも信頼度が高いデータ（優先度が高いデータ）として、補正ルートの作成や、支援マップの作成に用いてもよいが、この場合には、第２のダメージデータは、第１のダメージデータが取得されていない交通路に限って取得すればよい。
【００８８】
なお、モニタリング装置２ではなく、支援装置１が、交通路の損傷の程度を４段階のダメージレベル（ダメージレベル０、ダメージレベル１、ダメージレベル２、ダメージレベル３）で診断する構成としてもよい。この場合、モニタリング装置２は、収集したセンシングデータを支援装置１に送信してもよいし、収集したセンシングデータを分析した分析結果を支援装置１に送信してもよい。支援装置１は、モニタリング装置２から受診したセンシングデータ、または分析結果を処理して、各交通路のダメージレベルを得る。
【００８９】
また、支援装置１は、入力された２つの地点を結ぶ移動ルートを作成する機能を追加的に設けてもよい。この場合、ダメージレベル０、またはダメージレベル１である交通路によって、入力された２地点間を結ぶ移動ルートを作成する。２地点間を結ぶ移動ルートの作成においては、経由地点、距離が短い、利用料金が安い、ガソリンスタンドが多い、起伏がゆるい、右左折が少ない、移動時間が短い等の条件を受け付けるようにしてもよい。
【００９０】
また、支援装置１は、ＰＣや、スマートフォンやタブレット等の携帯端末から２地点間の移動ルート作成の要求を受け付け、作成した２地点間の移動ルートを当該携帯端末に送信（返信）するようにしてもよい。この入力された２つの地点を結ぶ移動ルートを作成する構成が、この発明で言う移動ルート作成部に相当する構成であり、この例では、制御部１１がこの移動ルートを作成する処理を行う。すなわち、制御部１１が、この発明で言う移動ルート作成部にかかる構成を備えている。
【００９１】
また、支援装置１は、ｓ４で作成した支援マップを、自治体等が事前に作成しているハザードマップに重ね合わせた地図を作成し出力する機能を持たせてもよい。このようにすれば、二次災害の危険性の少ないルートの選択が行える。また、支援装置１は、ハザードマップを用いて、二次災害の危険性の少ない補正ルートを作成する構成としてもよい。
【００９２】
また、支援装置１は、電気、ガス、水道の供給が停止されている地域の情報の入力を受け付け、電気、ガス、水道の供給が停止されている地域を区別した支援マップをｓ４で作成するようにしてもよい。このようにすれば、物資（水、食料、医薬品等）の提供が必要な地域が容易に確認できる。
【００９３】
また、支援装置１は、ｓ４で作成した支援マップから、孤立している地域を抽出する機能を持たせてもよい。孤立している地域とは、災害対策本部等の主要施設から、ダメージレベル０、またはダメージレベル１の交通路のみで到達できない（走行ルートが作成できない）地域である。このようにすれば、孤立している地域の住人等に対する救助が迅速に行えるようになる。
【００９４】
また、交通管制センタは、支援装置１から入力された支援マップをもとにして、交通規制（通行止めや、車両重量制限等）を道路案内板等に表示し、一般車両のドライバに交通情報を提供する。これにより、一般車両のドライバに対して、避難経路となる走行ルートの案内が適正に行え、交通事故の発生等が抑制できる。
【００９５】
また、支援装置１は、交通路の損傷の程度から、その交通路の復旧にかかる工期や工費を予測するようにしてもよい。この場合、過去の工事における工期や工費を登録したデータベースを用意し、支援装置１は、このデータベースを参照して復旧にかかる工期や工費を予測するように構成すればよい。
【００９６】
また、モニタリング装置２が行う交通路の診断は、その交通路全体にわたって行う構成であってもよいし、その交通路に対して予め定めた複数地点について行った結果から総合的に判断する構成であってもよい。
【００９７】
また、作業員等が交通路の損傷の程度を目視確認する点検項目を、モニタリング装置２で診断された当該交通路のダメージレベルに応じて定めておいてもよい。このようにすれば、作業員の作業負担を抑えることができる。
【００９８】
また、補正ルートは、道路だけでなく、鉄道による輸送路も組み合わせて作成するようにしてもよい。
【００９９】
また、災害支援システムは、支援装置１を、モニタリング装置２または交通管制センタ３に一体化した構成にしてもよい。
【符号の説明】
【０１００】
１…支援装置
２…モニタリング装置
３…交通管制センタ
１１…制御部
１２…操作部
１３…表示部
１４…通信部
１５…交通網ＤＢ（交通網データベース）
１６…交通路ＤＢ（交通路データベース）
１７…ダメージレベルＤＢ（ダメージレベルデータベース）
１８…点検データＤＢ（点検データデータベース）
【図１】
0006476773.tif 000002
【図２】
0006476773.tif 000003
【図３】
0006476773.tif 000004
【図４】
0006476773.tif 000005
【図５】
0006476773.tif 000006